(57)【特許請求の範囲】
【請求項１】
外部通信光ケーブルを各階に設けられた分配器に接続する建屋内外部通信伝送路において、
各階の昇降路壁を貫通するように昇降路壁の中に取り付けられた複数の取付ケースと、  前記複数の取付ケースにそれぞれ収容された複数の外部通信光ケーブル接続コネクタと、
前記外部通信光ケーブル接続コネクタと前記分配器とを同一階において接続する複数の分配器接続光ケーブルと、
各階の前記各外部通信光ケーブル接続コネクタ間を接続して本線とバックアップ線とを含む多重のコネクタ接続回路を形成する複数の外部通信渡り光ケーブルとを含み、
前記各外部通信渡り光ケーブルの前記本線と前記バックアップ線とは昇降路内に別々に配置され、
前記各分配器接続光ケーブルは昇降路外側から各外部通信光ケーブル接続コネクタに接続され、前記各外部通信渡り光ケーブルは昇降路内側から前記各外部通信光ケーブル接続コネクタに接続されていること、
を特徴とする建屋内外部通信伝送路。
【請求項２】
外部通信光ケーブルを各階に設けられた分配器に接続する建屋内外部通信伝送路において、
外部通信光ケーブルを分岐する主配線盤と、
各階の昇降路壁を貫通するように昇降路壁の中に取り付けられた複数の取付ケースと、
前記複数の取付ケースにそれぞれ収容された複数の外部通信光ケーブル接続コネクタと、
前記各外部通信光ケーブル接続コネクタと前記分配器とを同一階において接続する複数の分配器接続光ケーブルと、
各階の前記各外部通信光ケーブル接続コネクタと前記主配線盤とを接続して本線とバックアップ線とを含む多重のコネクタ接続回路を形成する複数の階別外部通信光ケーブルとを含み、
前記階別外部通信光ケーブルの前記本線と前記バックアップ線とは昇降路内に別々に配置され、
前記各分配器接続光ケーブルは昇降路外側から各外部通信光ケーブル接続コネクタに接続され、前記各階別外部通信光ケーブルは昇降路内側から前記各外部通信光ケーブル接続コネクタに接続されていること、
を特徴とする建屋内外部通信伝送路。
【請求項３】
外部通信光ケーブルを各階に設けられた分配器に接続する建屋内外部通信伝送路において、
外部通信光ケーブルを分岐する主配線盤と、
各階の昇降路壁を貫通するように昇降路壁の中に取り付けられた複数の取付ケースと、
前記複数の取付ケースにそれぞれ収容された複数の外部通信光ケーブル接続コネクタと、
前記各外部通信光ケーブル接続コネクタと前記分配器とを同一階において接続する複数の分配器接続光ケーブルと、
各階の前記各外部通信光ケーブル接続コネクタ間を接続して本線とバックアップ線とを含む多重のコネクタ接続回路を形成する複数の外部通信渡り光ケーブルと、
本線とバックアップ線とを含み、前記各コネクタ接続回路と前記主配線盤とを前記外部通信光ケーブル接続コネクタを介して接続する多重の建屋内外部通信光ケーブルとを備え、
前記各外部通信渡り光ケーブルの前記本線と前記バックアップ線及び各建屋内外部通信光ケーブルの前記本線と前記バックアップ線とは昇降路内に別々に配置され、
前記各分配器接続光ケーブルは昇降路外側から各外部通信光ケーブル接続コネクタに接続され、前記各外部通信渡り光ケーブルと前記各建屋内外部通信光ケーブルとは昇降路内側から前記各外部通信光ケーブル接続コネクタに接続されていること、
を特徴とする建屋内外部通信伝送路。
【請求項４】
外部通信光ケーブルを各階に設けられた分配器に接続する建屋内外部通信伝送路において、
外部通信光ケーブルを分岐する主配線盤と、
各階の昇降路壁を貫通するように昇降路壁の中に取り付けられた複数の取付ケースと、
前記複数の取付ケースにそれぞれ収容された複数の第１の外部通信光ケーブル接続コネクタと、
前記各第１の外部通信光ケーブル接続コネクタと前記分配器とを同一階において接続する複数の第１の分配器接続光ケーブルと、
各階の前記各第１の外部通信光ケーブル接続コネクタ間を接続して本線とバックアップ線とを含む多重のコネクタ接続回路を形成する複数の外部通信渡り光ケーブルと、
本線とバックアップ線とを含み、前記各コネクタ接続回路と前記主配線盤とを前記外部通信光ケーブル接続コネクタを介して接続する多重の建屋内外部通信ケーブルと、
を含む第１の建屋内外部通信伝送路と、
外部通信光ケーブルを分岐する主配線盤と、
各階の昇降路壁を貫通するように昇降路壁の中に取り付けられた複数の取付ケースと、
前記複数の取付ケースにそれぞれ収容された複数の第２の外部通信光ケーブル接続コネクタと、
前記各第２の外部通信光ケーブル接続コネクタと前記分配器とを同一階において接続する複数の第２の分配器接続光ケーブルと、
各階の前記第２の外部通信光ケーブル接続コネクタと前記主配線盤を接続して本線とバックアップ線とを含む多重のコネクタ接続回路を形成する複数の階別外部通信光ケーブルと、を含む第２の建屋内外部通信伝送路とを有し、
前記各外部通信渡り光ケーブルの前記本線と前記バックアップ線及び各建屋内外部通信光ケーブルの前記本線と前記バックアップ線及び各階別外部通信光ケーブルの前記本線と前記バックアップ線とは昇降路内に別々に配置され、
前記第１、第２の各分配器接続光ケーブルは昇降路外側から前記第１、第２の各外部通信光ケーブル接続コネクタに接続され、前記各外部通信渡り光ケーブルと前記各建屋内外部通信光ケーブルとは昇降路内側から前記第１の各外部通信光ケーブル接続コネクタに接続され、前記各階別外部通信光ケーブルは昇降路内側から前記第２の各外部通信光ケーブル接続コネクタに接続されていること、
を特徴とする建屋内外部通信伝送路。
【請求項５】
前記各外部通信渡り光ケーブルは共通の昇降路内に配置されていることを特徴とする請求項１又は３に記載の建屋内外部通信伝送路。
【請求項６】
前記各外部通信渡り光ケーブルは異なる昇降路内に配置されていることを特徴とする請求項１又は３に記載の建屋内外部通信伝送路。
【請求項７】
前記各階別外部通信光ケーブルは共通の昇降路内に配置されていることを特徴とする請求項２に記載の建屋内外部通信伝送路。
【請求項８】
前記各階別外部通信光ケーブルは異なる昇降路内に配置されていることを特徴とする請求項２に記載の建屋内外部通信伝送路。
【請求項９】
前記各外部通信渡り光ケーブル及び前記各階別外部通信光ケーブルは共通の昇降路内に配置されていることを特徴とする請求項４に記載の建屋内外部通信伝送路。
【請求項１０】
前記各外部通信渡り光ケーブルと前記各階別外部通信光ケーブルは異なるそれぞれの昇降路内に配置されたことを特徴とする請求項４に記載の建屋内外部通信伝送路。
【請求項１１】
前記取付ケースは、各階に設けられる呼び出し用操作盤背面の前記昇降路壁、又は、各階の天井裏に接する昇降路壁又は、各階の上げ床部と接する昇降路壁又は各階の床上と接する昇降路壁もしくは各階の床上に設けられた成端箱背面の前記昇降路壁を貫通するように前記昇降路壁の中に取り付けられたこと、
を特徴とする請求項１から１０のいずれか１に記載の建屋内外部通信伝送路。
【発明の詳細な説明】
【技術分野】
【０００１】
本発明は、建屋内に設けられる外部との通信伝送路に関する。
【背景技術】
【０００２】
近年、インターネットなどの普及に伴って、高速大容量の通信伝送路は必須の要件となりつつある。また、従来このような大容量通信伝送路が必要なかった中小の事務所ビルあるいは集合住宅などにおいてもその必要性が増してきている。これらの通信伝送路は、ＬＡＮ（Ｌｏｃａｌ  Ａｒｅａ  Ｎｅｔｗｏｒｋ）の利用等を目的として光ケーブルを敷設することによって構成することが多くなされている。また、これらの光ケーブルのＬＡＮ等においては、災害時を考慮した多重系統化の要求も多くなってきている。
【０００３】
図５に光ケーブルによる通信伝送路網を示す。基幹光ケーブル１０１によって各基幹局１０７が接続され基幹光ネットワークが形成される。各基幹局１０７には基幹分配器１０８が設けられ、基幹光ケーブル１０１を各幹線光ケーブル１０２に分岐する。各幹線光ケーブル１０２は分岐点１０９にて各建物１１４に向かう支線光ケーブル１０３を分岐する。各支線光ケーブル１０３は各建物１１４の主配線盤１１０に接続される。主配線盤１１０からは建屋内光ケーブル１０４によって建物各階の分配器１１１に接続され、各分配器から個別光ケーブル１０６によって各個の端末１１２に接続されている。各個別の住宅１１７に接続する時には、幹線光ケーブル１０２の分岐点１０９から光ドロップケーブル１１６によって接続器１１３に接続され、ここから屋内の個別光ケーブル１０６によって各個の端末１１２に接続される。
【０００４】
上記の基幹光ケーブル１０１、幹線光ケーブル１０２、支線光ケーブル１０３、建屋内光ケーブル１０４は、複数の大容量あるいは中小容量回線であることから、図６（ａ）のように、数十から数百のテープ心線１２１を溝つきスペーサ１２２のスロット１２６に収容し外面を押さえ巻き１２４およびポリエチレンシース１２５で覆ったテープスロット型ケーブル１２０が用いられる。また、個別光ケーブル１０６には図６（ｂ）のような１つのテープ心線１２１の周りをポリエチレンシース１２５で覆ったインドアケーブル１３０が用いられる。テープ心線１２１は石英ガラスでできている非常に脆弱な光ファイバを保護するために、その周囲を紫外線硬化樹脂で覆った心線を複数本並べてさらに紫外線硬化樹脂で覆ったものである。また、光ケーブルの敷設時に光ファイバに張力がかかり破損することを防止するためにテープスロット型ケーブル、インドアケーブルともに鋼線からなるテンションメンバ１２３が埋め込まれている。
【０００５】
光ファイバはその特性上、曲がると伝播特性が劣化したり、破損が生じたりすることから、各ケーブルに最小曲げ半径が規定されている。幹線光ケーブル１０２に用いられる、数百心をまとめた大容量のテープスロット型ケーブルではその最小曲げ半径は３００〜６００ｍｍ、支線光ケーブル１０３、建屋内光ケーブル１０４に用いられる数十心をまとめた中小容量のテープスロット型ケーブルでもその最小曲げ半径は１００〜２００ｍｍで、個別光ケーブル１０６に用いられる単心のインドアケーブルでは１５〜３０ｍｍ程度となっている。このため、建屋内光ケーブル１０４は専用の直線状の縦配線路に設置され、分配器からの個別光ケーブル１０６は各個への曲げ配管の中に設置されている。
【発明の開示】
【発明が解決しようとする課題】
【０００６】
古いビル、あるいは中小の事務所ビルあるいは集合住宅はこのような光ファイバケーブルによる高速大容量の通信伝送路を設置することを考慮した設計となっていないため、上記のような直線状の縦配線路を設置できるようなスペースがなく、光ファイバケーブルによる高速大容量の通信伝送路を敷設できない状況が発生してきている。いくつかの曲がり配線路がある場合には、主配線盤１１０のそばに分配器１１１を配置し、そこから各個の端末まで個別光ケーブル１０６を敷設することが考えられるが、少数のケーブルの場合は可能であっても、数百箇所もの端末があるビルや集合住宅では、このような大規模な個別光ケーブルを設置することは困難で、実質的には光ファイバケーブルによる高速大容量の通信伝送路を敷設することは非常に困難であった。まして、多重系統の通信伝送路を敷設することは到底困難であった。
【０００７】
そこで、このような建物内へ光ケーブルを敷設する場合は、建物の各階の床に穴開けし、建物の縦方向に光ケーブルを敷設する縦配線路を設けていた。そのために、まず各階の床をＸ線による非破壊検査等で検査して、床の中に埋め込まれている電気ケーブルや配管の位置を事前調査し、それらの場所を避けて床に穴開け施工して、その穴に直線状の縦配線管を設置して、配管中に光ケーブルを敷設する方法が行われている。そして、多重系統化を図ろうとすると、本線用とバックアップ用と２つの穴を別々の場所に開けることが必要であった。
【０００８】
しかし、建物の各階の床に穴開け施工を行うことは、非破壊検査等による事前調査と床が厚いことによる大規模工事が必要になることから、工期とコストが増大するという問題があり、多重回線となると更に工事規模が大きくなり工期が長くなるという問題があった。また、光ファイバケーブルは光ファイバに張力を掛けないように設置することが必要なことから、縦配線路に多くのサポートをとることが必要で、工期とコストが増大するという問題があった。
【０００９】
そこで、本発明の目的は、建屋に床の複数の穴あけなどの大規模工事をすることなく、縦配線路のサポート数を少なくして、建屋の居住者に多重系統の光ケーブルを短期間にかつ低コストの工事で、敷設することが可能な建屋内外部通信伝送路を提供することにある。
【課題を解決するための手段】
【００１０】
本発明の建屋内外部通信伝送路は、外部通信光ケーブルを各階に設けられた分配器に接続する建屋内外部通信伝送路において、各階の昇降路壁を貫通するように昇降路壁の中に取り付けられた複数の取付ケースと、前記複数の取付ケースにそれぞれ収容された複数の外部通信光ケーブル接続コネクタと、前記外部通信光ケーブル接続コネクタと前記分配器とを同一階において接続する複数の分配器接続光ケーブルと、各階の前記各外部通信光ケーブル接続コネクタ間を接続して本線とバックアップ線とを含む多重のコネクタ接続回路を形成する複数の外部通信渡り光ケーブルとを含み、前記各外部通信渡り光ケーブルの前記本線と前記バックアップ線とは昇降路内に別々に配置され、前記各分配器接続光ケーブルは昇降路外側から各外部通信光ケーブル接続コネクタに接続され、前記各外部通信渡り光ケーブルは昇降路内側から前記各外部通信光ケーブル接続コネクタに接続されていること、を特徴とする。また、本発明の他の建屋内外部通信伝送路は、外部通信光ケーブルを各階に設けられた分配器に接続する建屋内外部通信伝送路において、外部通信光ケーブルを分岐する主配線盤と、各階の昇降路壁を貫通するように昇降路壁の中に取り付けられた複数の取付ケースと、前記複数の取付ケースにそれぞれ収容された複数の外部通信光ケーブル接続コネクタと、前記各外部通信光ケーブル接続コネクタと前記分配器とを同一階において接続する複数の分配器接続光ケーブルと、各階の前記各外部通信光ケーブル接続コネクタと前記主配線盤とを接続して本線とバックアップ線とを含む多重のコネクタ接続回路を形成する複数の階別外部通信光ケーブルとを含み、前記階別外部通信光ケーブルの前記本線と前記バックアップ線とは昇降路内に別々に配置され、前記各分配器接続光ケーブルは昇降路外側から各外部通信光ケーブル接続コネクタに接続され、前記各階別外部通信光ケーブルは昇降路内側から前記各外部通信光ケーブル接続コネクタに接続されていること、を特徴とする。また、本発明の他の建屋内外部通信伝送路は、外部通信光ケーブルを各階に設けられた分配器に接続する建屋内外部通信伝送路において、外部通信光ケーブルを分岐する主配線盤と、各階の昇降路壁を貫通するように昇降路壁の中に取り付けられた複数の取付ケースと、前記複数の取付ケースにそれぞれ収容された複数の外部通信光ケーブル接続コネクタと、前記各外部通信光ケーブル接続コネクタと前記分配器とを同一階において接続する複数の分配器接続光ケーブルと、各階の前記各外部通信光ケーブル接続コネクタ間を接続して本線とバックアップ線とを含む多重のコネクタ接続回路を形成する複数の外部通信渡り光ケーブルと、本線とバックアップ線とを含み、前記各コネクタ接続回路と前記主配線盤とを前記外部通信光ケーブル接続コネクタを介して接続する多重の建屋内外部通信光ケーブルとを備え、前記各外部通信渡り光ケーブルの前記本線と前記バックアップ線及び各建屋内外部通信光ケーブルの前記本線と前記バックアップ線とは昇降路内に別々に配置され、前記各分配器接続光ケーブルは昇降路外側から各外部通信光ケーブル接続コネクタに接続され、前記各外部通信渡り光ケーブルと前記各建屋内外部通信光ケーブルとは昇降路内側から前記各外部通信光ケーブル接続コネクタに接続されていること、を特徴とする。
【００１１】
本発明の他の建屋内外部通信伝送路は、外部通信光ケーブルを各階に設けられた分配器に接続する建屋内外部通信伝送路において、外部通信光ケーブルを分岐する主配線盤と、各階の昇降路壁を貫通するように昇降路壁の中に取り付けられた複数の取付ケースと、前記複数の取付ケースにそれぞれ収容された複数の第１の外部通信光ケーブル接続コネクタと、前記各第１の外部通信光ケーブル接続コネクタと前記分配器とを同一階において接続する複数の第１の分配器接続光ケーブルと、各階の前記各第１の外部通信光ケーブル接続コネクタ間を接続して本線とバックアップ線とを含む多重のコネクタ接続回路を形成する複数の外部通信渡り光ケーブルと、本線とバックアップ線とを含み、前記各コネクタ接続回路と前記主配線盤とを前記外部通信光ケーブル接続コネクタを介して接続する多重の建屋内外部通信ケーブルと、を含む第１の建屋内外部通信伝送路と、外部通信光ケーブルを分岐する主配線盤と、各階の昇降路壁を貫通するように昇降路壁の中に取り付けられた複数の取付ケースと、前記複数の取付ケースにそれぞれ収容された複数の第２の外部通信光ケーブル接続コネクタと、前記各第２の外部通信光ケーブル接続コネクタと前記分配器とを同一階において接続する複数の第２の分配器接続光ケーブルと、各階の前記第２の外部通信光ケーブル接続コネクタと前記主配線盤を接続して本線とバックアップ線とを含む多重のコネクタ接続回路を形成する複数の階別外部通信光ケーブルと、を含む第２の建屋内外部通信伝送路とを有し、前記各外部通信渡り光ケーブルの前記本線と前記バックアップ線及び各建屋内外部通信光ケーブルの前記本線と前記バックアップ線及び各階別外部通信光ケーブルの前記本線と前記バックアップ線とは昇降路内に別々に配置され、前記第１、第２の各分配器接続光ケーブルは昇降路外側から前記第１、第２の各外部通信光ケーブル接続コネクタに接続され、前記各外部通信渡り光ケーブルと前記各建屋内外部通信光ケーブルとは昇降路内側から前記第１の各外部通信光ケーブル接続コネクタに接続され、前記各階別外部通信光ケーブルは昇降路内側から前記第２の各外部通信光ケーブル接続コネクタに接続されていること、を特徴とする。
【００１２】
上記の本発明の課題解決手段において、外部通信渡り光ケーブル、階別外部通信光ケーブルを共通の昇降路内に配置してもよいし、異なる昇降路に配置されていてもよい。また、前記取付ケースは、各階に設けられる呼び出し用操作盤背面の前記昇降路壁、又は、各階の天井裏に接する昇降路壁又は、各階の上げ床部と接する昇降路壁又は各階の床上と接する昇降路壁もしくは各階の床上に設けられた成端箱背面の前記昇降路壁を貫通するように前記昇降路壁の中に取り付けられたこととしてもよい。
【発明の効果】
【００１３】
本発明による建屋内外部通信伝送路は、建屋の昇降機の昇降路内に多重化された外部通信ケーブルを配置するため、床の非破壊検査等による事前調査や複数の穴開け施工が不要で多重系統の光ケーブルの敷設が容易になり、建屋内の居住者に外部通信伝送路を短期間にかつ低コストの工事で、敷設することができるという効果を奏する。
【発明を実施するための最良の形態】
【００１４】
以下に図面を用いて本発明に係る実施の形態につき、詳細に説明する。図１から図４は本発明の第１から第４の実施形態の建屋内外部通信伝送路の説明図である。
【実施例１】
【００１５】
図１は、建屋１の中に設置された昇降機２の昇降路３０とその中に配置された、昇降機の制御用ケーブル配置と多重化された建屋内外部通信伝送路を示している。建屋１は、複数の階を有し、その複数の階を連絡するために昇降機２が設置されている。昇降機は建屋に設けられた昇降路３０の中を上下に移動するように設置され、昇降路３０の最上部の機械室には昇降機を駆動するための巻き上げ機などの駆動機構及び昇降機制御盤２０が設置されている。建屋の各階には昇降機を呼び出すための押しボタンなどが配置された呼び出し用操作盤（図示しない）が設けられ、昇降機制御盤２０と昇降機制御ケーブル２１によって接続されている。
【００１６】
外部の幹線通信路から分岐した外部通信ケーブル３は建屋１の中に引き込まれ、建屋内の主配線盤１０に接続されている。主配線盤１０は外部通信ケーブル３を複数の建屋内外部通信ケーブル４に分岐している。建屋の各階にはケーブルを各個の端末１２に分配する分配器１１が設置されている。主配線盤１０と分配器１１とは、一端に主配線盤側建屋内外部通信ケーブル接続コネクタ９ｂが取り付けられた建屋内外部通信ケーブル４と、一端に分配器側外部建屋内外部通信ケーブル接続コネクタ９ａが取り付けられた分配器接続ケーブル７によって２系統を構成するように接続されている。ここで、第１の系統は、主配線盤側建屋内外部通信ケーブル接続コネクタ９ｂと分配器側外部建屋内外部通信ケーブル接続コネクタ９ａによって構成される建屋内外部通信ケーブル接続コネクタ９が、取り付けケース３５によって昇降路壁３２の中央部に固定され、主配線盤１０と分配器１１は昇降路壁３２の中央部を通って建屋内外部通信ケーブル４と分配器接続ケーブル７によって接続されている。また、第２の系統は、建屋内外部通信ケーブル接続コネクタ９が、取り付けケース３５によって天井裏５２に接する昇降路壁３２に固定され、主配線盤１０と分配器１１は天井裏に接する昇降路壁を通って建屋内外部通信ケーブル４と分配器接続ケーブル７によって接続されている。このように主配線盤１０と分配器１１は昇降路壁の中央を通る配線と天井裏に接する昇降路壁を通る配線の２系統の構成となっている。
【００１７】
各階の分配器相互の接続も上記と同様に２系統で接続されている。第１の系統は、分配器側外部通信ケーブル接続コネクタ８ａと渡りケーブル側外部通信ケーブル接続コネクタ８ｂにより構成される外部通信ケーブル接続コネクタ８が取り付けケース３５によって昇降路壁３２の中央部に固定され、分配器１１相互間はこの昇降壁３２の中央部を通って外部信号渡りケーブル５と分配器接続ケーブル７によって接続されている。第２の系統は上記と同様に、分配器側外部通信ケーブル接続コネクタ８ａと渡りケーブル側外部通信ケーブル接続コネクタ８ｂにより構成される外部通信ケーブル接続コネクタ８が取り付けケース３５によって昇降路壁３２の天井裏５２に接する昇降路壁３２に固定され、分配器１１相互間はこの昇降壁３２の天井上裏部分を通って外部信号渡りケーブル５と分配器接続ケーブル７によって接続されている。このように分配器１１相互の接続を行う配線は、昇降路中央部を通る第１の系統と天上裏に接する昇降路壁３２を通るものの２系統構成となっている。
【００１８】
上記の第１の系統、第２の系統は１つの系統は常時使用する本線系統で、他の１系統は火災、地震などの災害によって、上記の本線が切断されたときのバックアップ用として用いられる。冗長性を重視する場合には、これら２系統の配線仕様、容量、は同一とし、バックアップ側の配線仕様、容量は第１の系統よりも回線数が小さいものとしてもよい。また、この時には、第１の系統を構成する外部信号渡りケーブル５と第２の系統を構成する外部信号渡りケーブル５は同一昇降路内に設置するときには別々の場所に設置することが好ましく、別々の昇降路３０の中に設置することによって更に冗長度を上げることもできる。
【００１９】
本系統を構成する建屋内外部通信ケーブル４、外部通信渡りケーブル５は、数十心をまとめた中小容量のテープスロット型ケーブルが用いられるため、最小曲げ半径が１００〜２００ｍｍとなるように昇降路内に配置される。また、分配器接続ケーブル７も同様のテープスロット型ケーブルが用いられるため、最小曲げ半径が１００〜２００ｍｍとなるように昇降路内に配置される。また、分配器接続ケーブル７も同様のテープスロット型ケーブルが用いて呼び出し用操作盤２２の近傍に配置される。一方、個別接続ケーブル１３は最小曲げ半径は１５〜３０ｍｍ単心のインドアケーブルが用いられるので、分配器１１から既設の電話回線配管などの曲がり配管内に自在に配置される。またバックアップ系統はこれよりも回線数の少ない小容量テープスロット型ケーブルで配線される。
【００２０】
本発明の第１の実施形態によると、本線となる第１の系統は最小曲げ半径が１００〜２００ｍｍの数十心をまとめた中小容量のテープスロット型ケーブルを床に孔をあけずに配置できることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。第２のバックアップ系統も上記の第１の系統と同様に床に孔を空けることなく設置することができる。また、各階を接続する渡りケーブルは長さが各階高程度であることから、コネクタ間のケーブル重量は軽量で別途ケーブルサポートを設置しなくとも光ファイバを損傷することがないので、特別なサポートなしでケーブルを敷設することができ、現場作業を低減し工事を短期間にすることができるという効果を奏する。
【００２１】
さらに、建屋内外部通信伝送路を多重化してあることから、地震、火災などの災害時のバックアップ回線が確保でき、災害に強い通信回線網を構築する事ができという効果を奏する。特にバックアップ回線を非常用昇降機の呼び出し用操作盤２２から取り出すようにすると、非常用昇降機は全階に停止することから、全階に漏れなくバックアップケーブルを配線、設置することができるという効果を奏する。
【実施例２】
【００２２】
本発明の第２の実施形態について図２を参照しながら説明する。第１の実施形態と同様の部分については同様の符号を用い説明は省略する。
【００２３】
外部の幹線通信路から分岐した外部通信ケーブル３は建屋１の中に引き込まれ、建屋内の主配線盤１０に接続されている。主配線盤１０は外部通信ケーブル３を複数の階別外部通信ケーブル６に分岐している。建屋の各階にはケーブルを各個に分配する分配器１１が設置されている。主配線盤１０と分配器１１とは、一端に主配線盤側階別外部通信ケーブル接続コネクタ１４ｂが取り付けられた複数の階別外部通信ケーブル６と、一端に分配器側階別外部通信ケーブル接続コネクタ１４ａが取り付けられた複数の分配器接続ケーブル７によって２系統となるように接続されている。ここで、第１の系統は、主配線盤側階別外部通信ケーブル接続コネクタ１４ｂと分配器側階別外部通信ケーブル接続コネクタ１４ａによって構成される階別外部通信ケーブル接続コネクタ１４が、取り付けケース３５によって昇降路壁３２の中央部に固定され、主配線盤１０と分配器１１は昇降路壁３２の中央部を通って階別外部通信ケーブル６と分配器接続ケーブル７によって接続されている。また、第２の系統は、階別外部通信ケーブル接続コネクタ１４が、取り付けケース３５によって天井裏５２に接する昇降路壁３２に固定され、主配線盤１０と分配器１１は天井裏に接する昇降路壁を通って階別外部通信ケーブル６と分配器接続ケーブル７によって接続されている。このように主配線盤１０と分配器１１は昇降路壁の中央を通る配線と天井裏に接する昇降路壁を通る配線の２系統の構成となっている。
【００２４】
第２の実施形態は、第１の実施形態と同様、上記の第１の系統、第２の系統により冗長度のある伝送回路を設けることができるという効果を奏する。第２の実施形態においては、第１の系統、第２の系統の階別外部接続ケーブル６は、昇降路３０の中のサポート６３から直線状に吊り下げ配置されて、中心にテンションメンバ１２３を有する中小容量のテープスロット型ケーブルが用いられていることから、災害において光ファイバの通信線が損傷を受けた場合でも、このテンションメンバを利用して超音波通信による非常通信を行うことができ、更に冗長度を向上させることが可能となるという効果を奏する。
【実施例３】
【００２５】
第３の実施形態について、図３を参照しながら説明する。第３の実施形態は、第１、第２の実施形態で説明したと同様の方法で、第１の系統は昇降路壁３２の中央を通して主配線盤１０と分配器１１を建屋内外部通信ケーブル４と分配器接続ケーブル７によって接続したもので、第２の系統は天上裏５２に接する昇降路壁３２を通じて主配線盤１０と分配器１１を階別外部通信ケーブル６と分配器接続ケーブル７によって接続するようにしたものである。
【００２６】
この第３の実施形態によると、第１、第２の実施形態の効果に加えて、異なる配線方式を組み合わせて二重化された建屋内外部通信伝送路を形成していることから、各配線の配置を分散させることができ、冗長度を向上させることができるという効果を奏する。
【実施例４】
【００２７】
第４の実施形態について、図４を参照しながら説明する。第４の実施形態は、第３の実施形態で説明したと同様の方法で、第１の系統は第１の昇降路の昇降路壁３２の中央を通して主配線盤１０と分配器１１を建屋内外部通信ケーブル４と分配器接続ケーブル７によって接続したもので、第２の系統は天上裏５２に接する第２の昇降路の昇降路壁３２を通じて主配線盤１０と分配器１１を階別外部通信ケーブル６と分配器接続ケーブル７によって接続するようにしたものである。
【００２８】
この第４の実施形態によると、第３の実施形態の効果に加えて、異なる配線方式を組み合わせて回線を二重し、更に複数の昇降路の中に別々の配線していることから、各配線の配置を分散させることができ、冗長度をさらに向上させることができるという効果を奏する。
【産業上の利用可能性】
【００２９】
本発明はエレベータなどの人貨用の昇降機の昇降路に限らず、小荷物専用昇降機や、自動車用エレベータなどの昇降路に外部通信伝送路を敷設する場合にも同様に適用することができる。また、主配線盤１０は建屋の下部に設置した場合に限らず建屋の上部の機械室の中など、どこに設置してもよい。
【図面の簡単な説明】
【００３０】
【図１】本発明の第１の実施形態の建屋内外部通信伝送路の説明図である。
【図２】本発明の第２の実施形態の建屋内外部通信伝送路の説明図である。
【図３】本発明の第３の実施形態の建屋内外部通信伝送路の説明図である。
【図４】本発明の第４の実施形態の建屋内外部通信伝送路の説明図である。
【図５】光ケーブルによる通信伝送路網の概念図である。
【図６】光ファイバケーブルの断面図である。
【符号の説明】
【００３１】
１  建屋、２  昇降機、３  外部通信ケーブル、４  建屋内外部通信ケーブル、５  外部通信渡りケーブル、６  階別外部通信ケーブル、７  分配器接続ケーブル、８  外部通信ケーブル接続コネクタ、８ａ  分配器側外部通信ケーブル接続コネクタ、８ｂ  渡りケーブル側外部通信ケーブル接続コネクタ、９  建屋内外部通信ケーブル接続コネクタ、９ａ  分配器側外部建屋内外部通信ケーブル接続コネクタ、９ｂ  主配線盤側建屋内外部通信ケーブル接続コネクタ、１０  主配線盤、１１  分配器、１２  端末、１３  個別接続ケーブル、１４  階別外部通信ケーブル接続コネクタ、１４ａ  分配器側階別外部通信ケーブル接続コネクタ、１４ｂ  主配線盤側階別外部通信ケーブル接続コネクタ、２０  昇降機制御盤、２１  昇降機制御ケーブル、２２  呼び出し用操作盤、３０  昇降路、３２  昇降路壁、３５  取り付けケース、６３、サポート、１０３  支線光ケーブル、１０４  建屋内光ケーブル、１０６  個別光ケーブル、１０７  基幹局、１０８  基幹分配器、１１０  主配線盤、１１１  分配器、１１２  端末、１１３  接続器、１１４  建物、１２０  テープスロット型ケーブル、１２１  テープ心線、１２２  溝つきスペーサ、１２３  テンションメンバ、１２４  押さえ巻き、１２５  ポリエチレンシース、１２６  スロット、１３０  インドアケーブル。
【図１】
0004669771.tif 000002
【図２】
0004669771.tif 000003
【図３】
0004669771.tif 000004
【図４】
0004669771.tif 000005
【図５】
0004669771.tif 000006
【図６】
0004669771.tif 000007